(57)【要約】      （修正有）【課題】作業時の取扱い容易性を確保しつつ、施工後に筆跡が被覆材に染み出す問題を解消する筆記具を提供する。【解決手段】墨汁を収容する墨収容部１３を有する本体に、ホルダが取り外し可能に装着される。ホルダにはペン芯４０が保持されている。ペン芯は、墨収容部に収容された墨汁を毛細管力によりその先端部４１に到達させる。いわゆる油性ペンの取扱い容易性を維持しつつ墨汁による墨付け作業が可能となる。したがって施工後に油性インクが被覆材に染み出してくる問題を解消することが可能である。長期の使用等によってペン芯の先端部が磨耗した場合は、ペン芯を交換すれば筆記性が回復する。また太さや形状の異なるペン芯を複数用意し、用途に応じて交換することも可能である。【選択図】図１
0003168408.tif 000002
【実用新案登録請求の範囲】
【請求項１】
墨汁を収容する墨収容部を有する本体と、
前記本体に対して取り外し可能に装着されたホルダと、
前記ホルダに保持されたペン芯とを備え、
前記ペン芯は、前記墨収容部に収容された墨汁を毛細管力によりその先端部に到達させることを特徴とする、筆記具。
【請求項２】
前記ホルダを前記本体から取り外すことにより、前記墨収容部が開放されることを特徴とする、請求項１に記載の筆記具。
【請求項３】
前記墨収容部と前記ペン芯の間の墨汁の流通を遮断可能な弁機構を更に備えることを特徴とする、請求項１または２に記載の筆記具。
【請求項４】
前記本体に対して取り外し可能なキャップを更に備え、
前記キャップを前記本体から取り外すことにより、前記ホルダを装着した状態で前記墨収容部が開放されることを特徴とする、請求項１ないし３のいずれか一項に記載の筆記具。
【考案の詳細な説明】
【技術分野】
【０００１】
本考案は、建材等の墨付け作業に用いる筆記具に関する。
【背景技術】
【０００２】
建築作業の現場では、構造材や造作材等の建材に当該建材の加工に必要な目印を付ける墨付けと呼ばれる作業がある。墨付けには、墨汁が墨壺、墨差しといった道具と共に用いられている（例えば特許文献１）。
【先行技術文献】
【特許文献】
【０００３】
【特許文献１】特開２００６−１２３１０４号公報
【考案の概要】
【考案が解決しようとする課題】
【０００４】
近年、墨壺よりも取扱いが容易性であるという理由により、油性インクを用いる筆記具（いわゆる油性ペン）が墨付け作業に使用されることが多くなっている。しかしながら油性インクは成分として揮発性の溶媒を含んでいるため、建材と当該建材に重ねられる被覆材（壁紙や床材等）の材料の組合せによっては油性インクが被覆材に浸透し、施工後に筆跡が被覆材に染み出してくることがある。
【０００５】
本考案は上記課題の少なくとも一部を解決するためになされたものであり、作業時の取扱い容易性を確保しつつ、施工後に筆跡が被覆材に染み出してくる問題を解消することを目的とする。
【課題を解決するための手段】
【０００６】
上記課題の少なくとも一部を解決するために本考案は、墨汁を収容する墨収容部を有する本体と、前記本体に対して取り外し可能に装着されたホルダと、前記ホルダに保持されたペン芯とを備え、前記ペン芯は、前記墨収容部に収容された墨汁を毛細管力によりその先端部に到達させることを特徴とする、筆記具の態様を採り得る。
【０００７】
上記の態様において、前記ホルダを前記本体から取り外すことにより、前記墨収容部が開放されることを特徴とする。
【０００８】
上記の態様において、前記墨収容部と前記ペン芯の間の墨汁の流通を遮断可能な弁機構を更に備えることを特徴とする。
【０００９】
上記の態様において、前記本体に対して取り外し可能なキャップを更に備え、前記キャップを前記本体から取り外すことにより、前記ホルダを装着した状態で前記墨収容部が開放されることを特徴とする。
【考案の効果】
【００１０】
本考案の態様によれば、いわゆる油性ペンの取扱い容易性を維持しつつ墨汁による墨付け作業が可能となる。したがって施工後に油性インクが被覆材に染み出してくる問題を解消することが可能である。長期の使用等によってペン芯の先端部が磨耗した場合は、ペン芯を交換すれば筆記性が回復する。また太さや形状の異なるペン芯を複数用意し、用途に応じて交換することも可能である。
【００１１】
またホルダを本体から取り外すことで墨収容部が開放される構成とすることにより、墨汁を墨収容部に補充して筆記を継続することが可能である。筆記具を構成する各部材の継続使用ができるため、環境負荷の抑制が可能である。
【００１２】
墨収容部と前記ペン芯の間の墨汁の流通を遮断可能な弁機構を更に備える構成とすることにより、墨汁の揮発を最小限に抑えることが可能である。
【００１３】
本体に対して取り外し可能なキャップを更に備え、当該キャップを本体から取り外すことにより、ホルダを装着した状態で墨収容部が開放される構成とすることにより、墨汁の補充を容易に行なうことができる。
【図面の簡単な説明】
【００１４】
【図１】本考案の一実施形態に係る筆記具を示す縦断面図である。
【図２】図１の筆記具の変形例を示す縦断面図である。
【考案を実施するための形態】
【００１５】
本考案の一実施形態に係る筆記具について、添付の図面を参照しつつ以下詳細に説明する。
【００１６】
図１に示されるように、本実施形態に係る筆記具１は、本体１０と、弁機構２０と、ホルダ３０と、ペン芯４０を含んで構成されている。
【００１７】
本体１０は円筒形状を呈しており、その一端部（前端部）１１は開口端とされ、他端部１２（後端部）は密閉されている。内部は墨収容部１３とされ、墨汁を収容している。
【００１８】
前端部１１の内壁１５側に弁機構２０が配置されている。前端部１１の外壁１４側とホルダ３０の後端部の内壁には雄ねじおよび雌ねじが形成されており、ホルダ３０が外壁１４に螺合によって固定されている。ホルダ３０の内部には弾性樹脂から成る円筒状の多孔体３１が嵌入されている。
【００１９】
弁機構２０は、両端が開口された円筒状の円筒体２１を備えている。円筒体２１の後端部は墨収容部１３内に配置され、円筒体２１の内部と墨収容部１３が連通している。すなわち円筒体２１の内部は、墨収容部１３に収容されている墨汁が進入可能な流路とされている。
【００２０】
弁機構２０の円筒体２１は内部にスプリング２２および弁棒２３を収容している。円筒体２１の前端部には弁座２４が設置され、ホルダ３０の多孔体３１と水密的に接触している。弁棒２３の鍔部２３ａがスプリング２２の前端と接触しており、通常時においては、スプリング２２の付勢力によって鍔部２３ａの前方に形成された斜面部２３ｂが弁座２４に当接されている。この状態において墨収容部１３からの墨汁の流れが当該当接位置で遮断される。
【００２１】
弁棒２３の前端部２３ｃは円筒体２１の前端から突出し、多孔体３１に保持されている。ペン芯４０の先端部４１はホルダ３０の前端から突出しており、後端部４２は多孔体３１に保持されている。ペン芯４０の後端部４２は、多孔体３１の内部において弁棒２３の前端部２３ｃと接触している。
【００２２】
ペン芯４０は例えばポリアセタール樹脂から成り、その軸線に沿う方向に複数の溝が形成されている。溝の数、幅、形状は墨汁を先端部４１へ到達させるのに必要な毛細管力を発生可能となるように適宜決定される。
【００２３】
多孔体３１はペン芯４０の軸方向に弾性変形可能とされている。ペン芯４０の先端部４１をホルダ３０側へ押圧すると多孔体３１が弾性変形し、弁棒２３の前端部２３ｃに接触しているペン芯４０の後端部４２が、弁棒２３を墨収容部１３へ向けて押圧する。弁棒２３はスプリング２２の付勢力に抗って墨収容部１３側へ変位し、弁座２４と弁棒２３の斜面部２３ｂが離間する。この状態において墨収容部１３内の墨汁は弁座２４が設けられた部分を通過可能となり、多孔体３１を介してペン芯４０に到達する。
【００２４】
ペン芯４０の押圧を解除すると、弁棒２３はスプリング２２の付勢力によって筆記具１の先端側へ変位し、弁棒２３の斜面部２３ｂが弁座２４に当接する。この状態において再び墨汁の墨収容部１３からペン芯４０への流通が遮断される。
【００２５】
ペン芯４０の押圧をある程度の時間継続することにより、あるいは繰り返し行なうことにより、墨汁がペン芯４０の先端部４１に到達する。この状態において各種建材（墨汁による筆記が可能であるもの）に対する筆記が可能となる。ペン芯４０に浸潤している墨汁が筆記中に不足した場合は、適宜ペン芯４０を押圧することにより墨収容部１３の墨汁がペン芯４０に再供給される。
【００２６】
弁機構２０、ホルダ３０、およびペン芯４０は一体の芯ユニットを構成している。したがってホルダ３０と本体１０の前端部１１の螺合を解除することにより、弁機構２０およびペン芯４０を本体１０から取り外し可能である。この状態において本体１０の前端部１１が開放されるため、墨汁を墨収容部１３に補充することができる。補充作業終了後に再びホルダ３０を本体１０の前端部１１に螺合すれば、筆記の継続が可能となる。
【００２７】
長期の使用等によってペン芯４０の先端部４１が磨耗した場合は、芯ユニットを新品と交換すれば筆記性が回復する。また太さや形状の異なる先端部４１を有する芯ユニットを複数用意し、用途に応じて交換することも可能である。
【００２８】
ペン芯４０、多孔体３１、弁機構２０のみを一体の芯ユニットとして交換可能とし、ホルダ３０は継続使用可能な構成としてもよい。
【００２９】
上記のように本実施形態の構成によれば、いわゆる油性ペンの取扱い容易性を維持しつつ墨汁による墨付け作業が可能となる。したがって施工後に油性インクの筆跡が被覆材に染み出してくる問題を解消することが可能である。
【００３０】
油性インクと比較して墨汁は揮発性が低いため、上記の弁機構を省略することが可能である。この場合、後端部４２が墨収容部１３内に位置する程度までペン芯４０を延長し、毛細管力によって墨汁を先端部４１へ到達させる構成とすればよい。この構成によれば筆記具１の部品コストおよび製造コストを抑制することが可能である。
【００３１】
また図２に示されるように、筆記具１Ａの本体１０の後端部１２を前端部１１と同様に開放端として形成し、液密性のキャップ５０を取外し可能に嵌入する構成としてもよい。墨汁補充時にはキャップ５０を取り外し、開放端とされた後端部１２から墨汁を補充することができる。この構成によれば、芯ユニットの着脱が不要であるため、墨汁の補充をより手軽に行なうことが可能となる。
【００３２】
キャップ５０が後端部１２の外壁に嵌入される構成としてもよい。またキャップ５０の内壁と後端部１２の外壁に雄ねじと雌ねじをそれぞれ形成し、螺合によって両者が固定される構成としてもよい。雄ねじと雌ねじはキャップ５０の外壁と後端部１２の内壁にそれぞれ形成される構成としてもよい。
【００３３】
上記した考案の実施の形態は、本考案の理解を容易にするためのものであり、本考案を限定するものではない。本考案は、その趣旨並びに実用新案登録請求の範囲を逸脱することなく、変更、改良され得ると共に、本考案にはその等価物が含まれる。
【符号の説明】
【００３４】
１：筆記具、１０：本体、１３：墨収容部、２０：弁機構、３０：ホルダ、４０：ペン芯、４１：先端部、５０：キャップ
【図１】
0003168408.tif 000003
【図２】
0003168408.tif 000004